(57)【特許請求の範囲】
【請求項１】
所定の移動範囲内で外側から前記ノーズ部へ向けて内方に、かつ、前記ノーズ部から外方へ移動可能なワーク当接部材と、前記ワーク当接部材と共に移動可能に設けられた制御部材とを含む制御手段を具備し、ノーズ部を有した締結具駆動工具であって、
前記ワーク当接部材と制御部材は移動範囲内の外側によった位置へ外方に付勢されており、ワーク当接部材がワークに接触して該ワークに対してしっかりと押し付けられたときに、前記締結具駆動工具が作動可能となり、かつ、前記ワーク当接部材が、前記ワークから離反して前記外方への付勢により前記移動範囲内の内側によった位置から外方へ移動したときに、前記締結具駆動工具が作動不能となる締結具駆動工具において、
前記制御手段は、
中心軸線を有したスプールと、
スプール拘束位置とスプール解放位置との間で移動可能に設けられたスプール拘束部材とを更に具備し、
前記スプールは、該スプールと、前記制御部材と前記ワーク当接部材との何れか一方との間の回転連結部、および、前記スプールと、前記制御部材と前記ワーク当接部材の残りの一方との間のネジ連結部において、前記制御部材を前記ワーク当接部材に連結するようになっており、
前記スプールは、また、その外周面に軸方向に延びる複数のリブと複数の溝とが交互に形成されており、
前記スプール拘束部材は、前記スプール拘束位置に付勢されており、ワーク当接部材が移動範囲内の外側によった位置から内方へ移動したときに、隣接した前記リブの間の前記溝の１つの中に突き出すことにより前記スプールと係合して前記スプールが前記回転連結部とネジ連結部において回転しないように拘束し、かつ、前記ワーク当接部材と制御部材が移動範囲内の外側によった位置にあるときスプールを拘束しないようになっている締結具駆動工具。
【発明の詳細な説明】
【０００１】
【発明の属する技術分野】
本発明は締結具駆動工具の調節可能な制御機構の改良に関する。
【０００２】
【従来の技術】
従来から、空気動力式または燃焼動力式であっても、締結具駆動工具ではノーズ部を通して締結具がワーク内に打ち込まれる。前記ノーズ部にはワーク当接部材を有する制御機構が設けられている。ワーク当接部材はノーズ部の内方へ移動可能であると共に、前記ノーズ部から外方へ移動可能となっている。前記制御機構は制御部材を具備している。この制御部材は、前記ワーク当接部材とともに所定の移動範囲内で移動可能となっており、かつ、前記ワーク当接部材と制御部材は前記移動範囲内の外側によった位置へ向けて付勢されている。制御機構は、前記ワーク当接部材がワークに当接して、移動範囲の内側によった位置まで内方へ移動するまで、該ワークに対してしっかりと押し付けられたときに、締結具駆動工具を作動可能とし、前記ワーク当接部が前記ワークから離反して前記移動範囲の内側によった位置から外方へ付勢され移動したときに、締結具駆動工具が作動不能となるように制御する。
【０００３】
米国特許第５１９１８６号、米国特許４７６７０４３号、米国特許第５３８５２６号に例示されているように、クギなどの締結具の打込深さを調節可能とする締結具駆動工具の制御機構が周知となっている。ここで、打込深さとは締結具駆動工具により打ち込まれたクギなどの締結具のワーク内への進入深さを意味するものとする。一般的に、制御機構は、締結具の上端部がワーク表面から上方に離反した状態または浮き上がった状態で止まるように、若しくは、ワーク表面から下側に埋め込まれた状態で止まるように調節可能である。
【０００４】
【発明が解決しようとする課題】
本発明は、締結具駆動工具、特に、締結具駆動工具においてワーク当接部材と制御部材とを含んで成る制御機構を改良することを目的としている。
【０００５】
【課題を解決するための手段】
本発明は、ノーズ部を有し、制御手段、すなわち、所定の移動範囲内で外側から前記ノーズ部へ向けて内方に、かつ、前記ノーズ部から外方へ移動可能なワーク当接部材と、前記ワーク当接部材と共に移動可能に設けられた制御部材とを含む制御手段を具備する駆動締結具駆動工具を改良する。前記ワーク当接部材と制御部材は移動範囲内の外側によった位置へ外方に付勢されており、ワーク当接部材がワークに接触して該ワークに対してしっかりと押し付けられたときに、前記締結具駆動工具が作動可能となり、かつ、前記ワーク当接部材が、前記ワークから離反して前記外方への付勢により前記移動範囲内の内側によった位置から外方へ移動したときに、前記締結具駆動工具が作動不能となる。
【０００６】
本発明によれば、前記制御手段が、更に、中心軸線を有するスプールとスプール拘束部材とを具備している。このスプールは、該スプールと、前記制御部材と前記ワーク当接部材との何れか一方との間の回転連結部、および、前記スプールと、前記制御部材と前記ワーク当接部材の残りの一方との間のネジ連結部において、前記制御部材を前記ワーク当接部材に連結する。前記スプール拘束部材は、スプール拘束位置とスプール解放位置との間で移動可能に設けられ、前記スプール拘束位置に付勢されており、ワーク当接部材が移動範囲内の外側によった位置から内方へ移動したときに、前記スプールと係合して前記スプールが前記回転連結部とネジ連結部において回転しないように拘束し、かつ、前記ワーク当接部材と制御部材が移動範囲内の外側によった位置にあるときスプールを拘束しないようになっている。
【０００７】
好ましくは、前記スプールは、その外周面に軸方向に延びる複数のリブと複数の溝とが交互に形成されており、前記スプール拘束部材が前記スプールの中心軸線と交差する直線に沿って移動可能になっている。好ましくは、更に、前記スプール拘束部材は、前記ワーク当接部材が移動範囲の内側によった位置まで内方へ移動したときに、隣接したリブの間の前記溝の１つの中に突き出すことによりスプールを拘束し、前記ワーク当接部が前記移動範囲の外側によった位置に移動したときに、スプールを拘束しないようになっている。
【０００８】
本発明の他の目的、特徴、利点は添付図面を参照して説明する本発明の実施形態から明らかとなる。
【０００９】
【発明の実施の形態】
図１に示すように、締結駆動締結具駆動工具１０はノーズ部１２を具備しており、該ノーズ部を貫通してクギその他の締結具がワーク内に打ち込まれる。ノーズ部には、本発明の好ましい実施形態による制御機構２０が配設されている。制御機構２０は後述するように、打込深さ、つまり、締結具駆動工具１０によりクギなどの締結具をワーク内に打ち込む深さを調節できるように構成されている。
【００１０】
図示するように、締結具駆動工具１０は空気動力式のクギ打込締結具駆動工具である。制御機構２０に類似する制御機構は、また、空気動力式ステープル打ち機、燃焼動力式クギ打込締結具駆動工具または燃焼動力式ステープル打ち機などの他の形式の締結具駆動工具にも有効である。
【００１１】
制御機構２０はワーク当接部材３０と制御部材４０とを具備している。ワーク当接部材３０は、所定の移動範囲内で、ノーズ部１２の方へ内側へ（図面において上方へ）およびノーズ部１２から外方へ（図面において下方へ）移動可能となっている。制御部材４０はワーク当接部材３０とともに移動可能となっている。ワーク当接部材３０は長脚部３２と、足部３４と、短脚部３６とを有している。短脚部３６はネジが形成された端部３８を有している。足部３４が長脚部３２と短脚部３６とを連結している。制御部材４０はフック状に形成された端部４２と、周溝４６が形成された端部４４とを有している。これらの移動可能な要素、つまり、ワーク当接部材３０および制御部材４０は、移動範囲内の外側によった位置の限界へ向けて圧縮バネ５０により外方へ（図面において下方へ）付勢されている。圧縮バネ５０は移動可能なブラケット５２に支承されている。ブラケット５２は、制御部材４０のフック状の端部４２にリベット５４により取着されている。
【００１２】
圧縮バネ５０と移動ブラケット５２とを含む制御機構２０は、ワーク当接部材３０をワークＷに当接させて、制御部材４０が内方へ（図面において上方に）移動範囲の内側の限界へ移動するまで該ワークにしっかりと押し付けられたとき（図２、５、６、７参照）締結具駆動工具１０が作動可能となり、かつ、ワーク当接部材３０がワークＷから離反して、バネの付勢により外方へ（図面において下方へ）移動範囲の内側によった位置から移動したときに締結具駆動工具１０作動不能となるように、周知の態様で締結具駆動工具１０を制御するために用いられており、この部分は本発明の範囲外である。
【００１３】
本発明によれば、制御機構２０には、更に筒状のスプール６０とスプール拘束部材９０とが設けられている。スプール６０は中心軸線を有しており、該中心軸線が制御部材４０の端部４４の中心軸線、および、ワーク当接部材３０のネジの形成された端部端部３８の中心軸線と一致するように配設される。スプール６０は、該スプール６０と制御部材の周溝の形成された端部４４との間の回転連結部（スイベル連結部）６２、および、スプール６０とワーク当接部材３０との間のネジ連結部６４とを介して、制御部材４０をワーク当接部材３０に連結する。スプール６０は、中心孔７０と、周溝７４が形成された端部７２とネジが形成された端部７６とを有している。周溝が形成された端部７２内に制御部材４０の端部４４が挿入され、該端部４４の周溝４６と周溝７４の間に樹脂製のリング部材１００を配設することにより保持される。ネジの形成された端部７６にワーク当接部材３０のネジが形成された端部３８がねじ込まれて深さを調節する。スプール６０の外周面には複数の軸方向に延びるリブ７８と溝８０が交互に形成されている。スプール６０は、ワーク当接部材３０のネジの形成された端部３８のスプール６９の中心孔７６内へのねじ込み深さを変えるために、リブ７８のいくつかのリブにユーザの指がアクセスできるように配設されている。
【００１４】
スプール拘束部材９０は平坦な内側端部９２と、円錐状の外側端部９４とを有している。スプール拘束部材９０は、スプール６０の中心軸線と概ね９０°に交差する直線、つまり、スプール６０の中心軸線から半径方向に延びる直線に沿って、スプール拘束位置とスプール解放位置との間で直線状に移動できるように、ノーズ部１２のソケット９６内に配設されている。スプール拘束部材は、コイルバネ９８（図６参照）によりスプール拘束位置に向けて付勢されている。コイルバネ９８は、スプール拘束部材の内側の端部９２とソケット９６内に取り付けられたバネ押さえ９０との間で圧縮されている。スプール保持部材９０は、回転連結部６２とネジ連結部６４において、ワーク当接部材３０が移動範囲内の外側によった位置から内方へ移動したときに、スプール６０と係合してスプール６０の回転を拘束し、ワーク当接部材３０が移動範囲内の外側によった位置にあるときは、スプール６０との係合が解除されスプール６０の回転を許容するように配設されている。
【００１５】
図４に示すように、スプール６０が回転してワーク当接部材３０のネジの形成された端部３８が完全にスプール６０の中止孔７０のネジの形成された端部７６内にネジ込まれても、締結具駆動工具１０が作動可能なとき、つまり、連動するワーク当接部材および制御部材４０の移動範囲内の内側によった位置へ制御部材４０が内方（上方）へ移動するまで、ワーク当接部材３０の足部３４がワークＷにしっかりと押接されたとき、ノーズ部１２はワークＷから距離Ｄを以て離間している。
【００１６】
図５に示すように、スプール６０を回転させて、ワーク当接部材３０のネジの形成された端部３８がスプール６０の中心孔７０のネジの形成された端部内に適当な距離を以てねじ込まれると、締結具駆動工具１０が作動可能となったときノーズ部１２はワークＷと接触している。このとき、締結具駆動工具１０が作動して破線で示すクギＮなどの締結具が締結具は一般的にワークの表面と面一となるようにワークＷ内に打ち込まれる。同様に、スプール６０を回転させてワーク当接部材３０のネジの形成された端部３８が、スプール６０の中心孔のネジの形成された端部７６に更にねじ込まれると（完全にはねじ込まれていない）、クギＮなどの締結具は、図４に示す距離Ｄよりも短い距離を以てワークの表面から浮いた状態で打ち込まれる。
【００１７】
図２に示すように、連動して共に移動可能なワーク当接部材３０と制御部材４０が、その移動範囲内の外側によった位置にあるとき、スプール拘束部材９０はスプール６０より内側にありスプール６０に係合していない。従ってスプール６０は、スプール拘束部材９０により邪魔されることなく、回転連結部６２とネジ連結部６４において回転することが可能である。締結具駆動工具１０が工具箱の中または作業台の上にあるとき、スプール６０をワーク当接部材３０と制御部材４０とに対して相対的に回転させることにより、打込深さを容易に調節することができる。複数のリブ７８がスプール６０の回転を容易にする。
【００１８】
図４、５、６に示すように、ワーク当接部材３０の足部３４がワークＷに対してしっかりと押し付けられると、ワーク当接部材３０と制御部材４０が、ワーク当接部材３０と制御部材４０の移動範囲内の外側によった位置から内方へ（上方に）移動し、スプール拘束部材９０が複数の溝８０うち１つの溝内、つまり隣接する２つのリブ７８の間に進入する。締結具駆動工具１０が作動するとき、スプール拘束部材９０がスプール６０が回転しないように拘束する。然しながら、スプール拘束部材９０を１つの溝８０に隣接する２つのリブ７８の間の中心に位置させるとき或いは中心に位置させる必要があるときには、スプール６０を僅かに回転させることができる。スプール６０は回転しないように拘束されているが、強いて回転させればスプール６０を回転させることができる。このとき、スプール拘束部材９０がリブ８０を乗り越える際、該スプール拘束部材９０を付勢するコイルバネ９８が圧縮される。
本発明の範囲と精神とを逸脱することなく本発明の変形、改良が可能である。
【図面の簡単な説明】
【図１】本発明実施形態による締結具駆動工具の一部を破断して示す斜視図である。
【図２】締結具駆動工具の制御機構とノーズ部の部分断面、立面図である。
【図３】図２において矢視線３−３に沿う断面図である。
【図４】締結具駆動工具が作動した位置を示す図２と同様の図であり、締結具がワーク表面から浮いた状態で止まるように打ち込まれた状態を示す図である。
【図５】締結具駆動工具が作動した位置を示す図２と同様の図であり、締結具がワーク表面と面一となる状態で止まるように打ち込まれた状態を示す図である。
【図６】図４において矢視線６−６に沿う断面図である。
【図７】制御機構の略示分解斜視図である。
【図８】スプールの上端面を示す拡大図である。
【図９】図８において矢視線９−９に沿う断面図である。
【図１０】スプールの状端部の部分拡大断面図である。
【符号の説明】
１０…締結具駆動工具
１２…ノーズ部
３０…ワーク当接部材
４０…制御部材
６０…スプール
９０…スプール拘束部材
【図１】
0003993275.tif 000002
【図２】
0003993275.tif 000003
【図３】
0003993275.tif 000004
【図４】
0003993275.tif 000005
【図５】
0003993275.tif 000006
【図６】
0003993275.tif 000007
【図７】
0003993275.tif 000008
【図８】
0003993275.tif 000009
【図９】
0003993275.tif 000010
【図１０】
0003993275.tif 000011